(57)【要約】【課題】反動を利用した屈曲をすることなく、かつ台に上らずに立位体前屈の測定が可能となる身体測定装置を提供する。【解決手段】身体測定装置は、床面に載置され上方に延在する棒状部材と、前記棒状部材を挿通される挿通部を有する複数の椎骨部材と、各椎骨部材は、略同一の厚さ寸法を備え、重ねられて前記棒状部材に挿通されることを特徴とする。また、前記厚板部材は、２４個の部材からなり、上側から７個の厚板部材は頸椎グループを形成し、１２個の厚板部材は胸椎グループを形成し、５個の厚板部材は、腰椎グループを形成している。さらに、前記頸椎グループと、前記胸椎グループと、前記腰椎グループとは、色分けにより分類されている。【選択図】図１
2019208701.tif 000002
【特許請求の範囲】
【請求項１】
床面から上方に延在する棒状部材と、
前記棒状部材を挿通される挿通部を有する複数の厚板部材と、
各厚板部材は、略同一の厚さ寸法を備え、重ねられて前記棒状部材に挿通されることを特徴とする、身体測定装置。
【請求項２】
前記厚板部材は、２４個の部材からなり、
上側から７個の厚板部材はａグループを形成し、
１２個の厚板部材はｂグループを形成し、
５個の厚板部材は、ｃグループを形成していることを特徴とする、請求項１に記載の身体測定装置。
【請求項３】
前記ａグループと、前記ｂグループと、前記ｃグループとは、色分けにより分類されている、請求項２に記載の身体測定装置。
【請求項４】
各厚板部材は順に番号が振られている、請求項１〜３のいずれか一項に記載の身体測定装置。
【請求項５】
前記番号は各厚板部材の上面に記載されている、請求項４に記載の身体測定装置。
【請求項６】
少なくとも一番上に重ねられる前記厚板部材は、背骨の断面図を模擬している、請求項１〜５のいずれか一項に記載の身体測定装置。
【請求項７】
各厚板部材は、厚さ寸法が略１ｃｍの板状部材である、請求項１〜６のいずれか一項に記載の身体測定装置。
【請求項８】
各厚板部材は木製材料からなる、請求項１〜７のいずれか一項に記載の身体測定装置。
【発明の詳細な説明】
【技術分野】
【０００１】
本発明は、立位体前屈による身体の前屈度の測定装置に関する。
【背景技術】
【０００２】
従来より、身体の柔軟性を測定する場合に、立位体前屈と称される直立状態からの前屈の度合いを測定することがある。この立位体前屈による測定では、前屈した状態で手腕を下方に伸ばし、指先が下方に到達するほど、身体が柔軟であるとされる。
【０００３】
そのような立位体前屈による測定では、特許文献１に示すような立位体前屈度の測定器を利用して、身体の柔軟性の測定が行われる。例えば、特許文献１に示す立位体前屈度デジタル測定器では、測定対象者が台に上り、台に取り付けられた立位体前屈度デジタル測定器のカーソル（当接部）を指先で押して下方に移動させ、カーソルの位置を測定することにより、立位体前屈度が測定される
【先行技術文献】
【特許文献】
【０００４】
【特許文献１】特開平０４−３３２５３４号公報
【発明の概要】
【発明が解決しようとする課題】
【０００５】
しかし、上述のような特許文献１に記載の立位体前屈度デジタル測定器を含む、一般的な立位体前屈の測定装置では、柔軟な身体を有する人を想定し、台のように床面より高い位置に基準点を置き、指先が基準点より下に来るようにしている。したがって、測定対象者が台に上らなくては測定ができず、測定対象者が、台の上から落下してしまう危険があるとの知見を得た。
【０００６】
この知見に基づき発明者が鋭意検討したところ、成人の立位体前屈度の測定においては、怪我や運動不足により身体に課題を生じる者が測定を必要とする場合が多く、指先が基準点より下に来ることを想定する必要がないという知見を得た。また、指先でカーソルを押圧する構造は、屈曲度を高くみせるべく、反動により強引に身体を屈曲してしまい、身体に故障をきたしてしまうといった課題があった。
【０００７】
本発明は、反動を利用した屈曲をすることなく、かつ台に上らずに立位体前屈の測定が可能となる身体測定装置を提供することを目的とする。
【課題を解決するための手段】
【０００８】
（１）本発明に係る身体測定装置は、床面から上方に延在する棒状部材と、前記棒状部材を挿通される挿通部を有する複数の厚板部材と、各厚板部材は、略同一の厚さ寸法を備え、重ねられて前記棒状部材に挿通されることを特徴とする。
【０００９】
この身体測定装置を利用した立位体前屈の測定では、身体測定装置が測定対象者の手前に置かれ、測定対象者は前屈をして、重ねられて棒状部材に挿通された厚板部材を棒状部材から抜き取る。厚板部材は、高さ方向に重ねられており、測定対象者の前屈の度合いにより、抜き取られる厚板部材の数が変動する。これにより、抜き取られた厚板部材の数により前屈の程度が測定される。
【００１０】
この身体測定装置によれば、従来の身体測定装置では測定対象者の前屈により床面より下方まで指が届くことを想定していたのに対して、床面に載置された棒状部材と、これに挿通されて重ねられた厚板部材により、前屈の程度、すなわち立位体前屈の測定ができるため、台に上ることなく、安全に立位体前屈の測定が可能となる。
【００１１】
また、指先でカーソル等の測定部を押圧することなく立位体前屈の測定ができるため、反動を使って前屈をするようなことがなくなる。したがって、反動により身体に負担をかけることなく、立位体前屈の測定ができる。
【００１２】
（２）前記した身体測定装置において、前記厚板部材は、２４個の部材からなり、上側から７個の厚板部材はａグループを形成し、１２個の厚板部材はｂグループを形成し、５個の厚板部材は、ｃグループを形成していることを特徴としてもよい。そのようにすれば、人間の身体の背骨が７個の頸椎と、１２個の胸椎と、５個の腰椎から構成されることに相まって、身体測定装置により、身体のイメージを持ちながら、立位体前屈の測定が可能となる。
【００１３】
（３）前記した身体測定装置において、前記ａグループと、前記ｂグループと、前記ｃグループとは、色分けにより分類されていていてもよい。そのようにすれば、頸椎、胸椎、腰椎のグループの分類が直感的に想起しやすく、より身体のイメージを持ちながら、立位体前屈の測定が可能となる。
【００１４】
（４）前記した身体測定装置において、各厚板部材は順に番号が振られていてもよい。そのようにすれば、前屈の程度を確認しながら、立位体前屈の測定が可能となる。
【００１５】
（５）前記した身体測定装置において、前記番号は各厚板部材の上面に記載されていてもよい。そのようにすれば、測定対象者が、自分の前屈の程度を確認しながら、立位体前屈の測定が可能となる。
【００１６】
（６）前記した身体測定装置において、少なくとも一番上に重ねられる前記厚板部材は、背骨の断面図を模擬していてもよい。そのようにすれば、測定対象者が、より身体のイメージを持ちながら、立位体前屈の測定が可能となる。
【００１７】
（７）前記した身体測定装置において、各厚板部材は、厚さ寸法が略１ｃｍの板状部材であってもよい。そのようにすれば、前屈の程度を数値的に確認しながら、立位体前屈の測定が可能となる。
【００１８】
（８）前記した身体測定装置において、各厚板部材は木製材料から作製されていてもよい。
【発明の効果】
【００１９】
本発明によれば、反動を利用した屈曲をすることなく、かつ台に上らずに立位体前屈の測定が可能となる身体測定装置を提供することができる。
【図面の簡単な説明】
【００２０】
【図１】第１の実施形態に係る身体測定装置を利用する状態を示す概要図である。
【図２】図１に示す身体測定装置の斜視図である
【図３】図１に示す身体測定装置を示す図であり、（Ａ）は平面図、（Ｂ）は側面図である。
【図４】変形に係る身体測定装置の厚板部材を示す平面図である。
【発明を実施するための形態】
【００２１】
本発明の実施形態に係る身体測定装置１について、図１〜３を参照しつつ説明する。身体測定装置１は、測定対象者Ｏが立位体前屈を行う際に、その屈曲の程度を測定するのに用いられる。
【００２２】
身体測定装置１は、図１に示すように、測定対象者Ｏの前方であって、測定対象者Ｏが立位体前屈をした状態で下方に下した指先が届く位置に配置される。身体測定装置１は、後述するように、測定対象者Ｏの指先が届く位置に応じて、分離可能となっており、分離された位置に応じて立位体前屈の測定、すなわち身体の測定が可能となる。
【００２３】
身体測定装置１は、図２に示すように、床面におかれる土台１０と、土台１０から上方に延在する棒状部材２０と、棒状部材２０に挿通される複数の厚板部材３０とを備える。土台１０は、両面が平坦な板状部材として形成され、棒状部材２０を受け入れる孔部（図示なし）を有し、棒状部材２０は、土台１０の孔部（図示なし）に差し込まれて固定され、床面から上方に延在する。
【００２４】
棒状部材２０は、円形の断面を有し同一直径で延在する。土台１０は、厚さ寸法が略１ｃｍとなるように木材を加工することにより形成されている。しかし、土台１０は、床面に安定して配置できれば、厚さ寸法が１ｃｍでなくてもよいし、合成樹脂や金属を材料としてもよい。
【００２５】
各厚板部材３０は、棒状部材２０を挿通する挿通部３１を備える。本実施形態においては、挿通部３１は、側面に開放する凹部として形成されている。したがって、厚板部材３０は、厚さ方向に棒状部材を通す以外に、開放する側面側から棒状部材２０を通すことができる。しかし、挿通部３１は、棒状部材２０を挿通できれば、厚板部材３０の両面を貫通するような貫通孔であってもよい。その場合は、厚板部材３０は、厚さ方向に棒状部材を通すことによってのみ棒状部材２０を挿通できる。
【００２６】
厚板部材３０は、それぞれ、略同一の厚さで、同一の挿通部３１を備え、同一の形状に形成されている。本実施形態において、各厚板部材３０は、厚さ寸法が略１ｃｍとなるように木材を加工することにより形成されている。しかし、厚板部材３０は、厚さ寸法が１ｃｍでなくてもよいし、合成樹脂や金属を材料としてもよい。
【００２７】
身体測定装置１は、図３に示すように、概略円形の２４個の厚板部材３０を含み、上側から７個のａグループＧａ、１２個のｂグループＧｂ、５個のｃグループＧｃに分けられる。本実施形態において、厚板部材３０は、色の違いによりグループ分けされている。具体的には、ａグループＧａを青色、ｂグループＧｂを緑色、ｃグループＧｃを黄色として、各厚板部材３０は全面に色を塗られている。しかし、厚板部材３０は、他の色によりグループ分けされてもよいし、色以外の他の方法によりグループ分けされてもよい。
【００２８】
厚板部材３０は、一方の面に番号Ｎが連続して記載されている。本実施形態のおいては、１〜２４の番号Ｎが振られている（図には番号「１」のみを示す）。厚板部材３０の一方の面を上方に向けて、上から順に番号Ｎが大きくなるように、すなわち最上段の数字が１、最下段が２４となるように、棒状部材２０に厚板部材３０を挿通していく。
【００２９】
そのようにすれば、立位体前屈をして指の届く範囲の厚板部材３０を棒状部材２０から外した場合に、上から何番目の厚板部材３０を取り除いたか判別できる。これにより、測定対象者Ｏは、自信の屈曲具合を屈曲しながら数値的に確認することができる。
【００３０】
また、厚板部材３０は、例えば、厚板部材３０の一方の面と他方の面に極性の異なるシート状磁石を取り付け、各厚板部材３０が、相互に、吸着するようにしてもよい。または、シート状磁石に代えて、厚板部材３０の内部に磁石を設けるようにしてもよい。
【００３１】
ここで、身体測定装置１は、ａグループＧａとｂグループＧｂとｃグループＧｃの３つのグループに分けられている。ａグループＧａは７個の厚板部材３０からなり、ａグループＧａの厚板部材３０は人体の頸椎を表す頸椎部材として機能する。また、ｂグループＧｂは１２個の厚板部材３０からなり、ｂグループＧｂの厚板部材３０は人体の胸椎を表す胸椎部材として機能する。さらに、ｃグループＧｃは５個の厚板部材３０からなり、ｃグループＧｃの厚板部材３０は人体の腰椎を表す腰椎部材として機能する。
【００３２】
このように、各厚板部材３０は、人体の椎骨を表す椎骨部材として機能し、また、土台１０は人体の仙骨を表す仙骨部材として機能する。したがって、身体測定装置１は、人体の背骨を模擬した構造を有する。
【００３３】
本実施形態に係る身体測定装置１は、挿通部３１を棒状部材２０に挿通した複数の厚板部材が重ねられている。これにより、測定対象者Ｏの指先が届く位置に応じて、厚板部材３０が分離可能となっており、分離された位置に応じて立位体前屈の屈曲度の測定、すなわち身体の測定が可能となる。
【００３４】
本実施形態に係る身体測定装置１は、積み上げられた厚板部材３０の厚さ寸法および土台１０の厚さ寸法により、最上面が床から略２５ｃｍの高さとされている。すると、身体測定装置１の最上面が床から略２５ｃｍの高さまで指先が到達するように立位体前屈により身体を屈曲させなければ使用することができない。しかし、その程度に身体を屈曲させることができない場合は、身体に大きな以上を有している可能性が高く、立位体前屈のような屈曲度のそくていではなく、他の処置が必要になる。
【００３５】
本実施の形態に係る身体測定装置１は、背骨の構造を模した構成となっているため、身体測定装置１を利用する対象者Ｏに対して、指導する指導者が説明しやすく、身体測定者を利用する対象者Ｏが理解をしやすく、同一の情報にふれることにより、指導者と対象者Ｏの両社の共通理解が深まる。
【００３６】
本発明の変形例について、図４を参照して説明する。変形例に係る身体測定装置１ａは、厚板部材３０ａの平面形状が身体測定装置１の厚板部材３０と異なることを除いて、身体測定装置１と同一である。変形例に係る身体測定装置１ａの厚板部材３０ａは、背骨の断面図を模擬した形状とされ、挿通部３１ａとして貫通孔を有する。これにより、変形例に係る身体測定装置１ａを利用する対象者Ｏは、背骨の構造を意識しながら、立位体前屈の測定ができる。
【００３７】
身体測定装置１は、立位体前屈に限らず、身体の他の部分を測定してもよく、例えば、肩の関節の柔軟性や膝の関節の柔軟性の測定等に利用することができる。
【産業上の利用可能性】
【００３８】
本発明は、身体の測定に用いることができる。
【符号の説明】
【００３９】
１    身体測定装置
１０    土台
２０    棒状部材
３０    厚板部材（頸椎部材、胸椎部材、腰椎部材）
３１    挿通部
【図１】
2019208701.tif 000003
【図２】
2019208701.tif 000004
【図３】
2019208701.tif 000005
【図４】
2019208701.tif 000006